(57)【要約】【課題】本発明は、ベビーカーの展開／収納操作を簡単な手順で素早く行うことができるベビーカーに関する。【解決手段】本発明は、一対のサイドフレーム１と一対のサイドフレーム１の間に配置されている収納フレーム２とを有するように構成されるベビーカー１００であって、一対のサイドフレーム１は、それぞれ前方支持バー１１と後方支持バー１２とを有しており、収納フレーム２は、一対のサイドフレームの間に配置されているハブ２１と、それぞれいずれか１つの前方支持バー１１又は後方支持バー１２に枢接されている外端部とハブ２１に枢接されている４本の枢支バー２２とを有しており、且つ、枢支バー２２それぞれが共に展開する展開位置と、ハブ２１の上方への移動に従って展開位置から４本の枢支バー２２それぞれが回動すると共に、一対のサイドフレームが互いに接近する収納位置と、の間に切り替えることができることを特徴とするベビーカー１００を提供する。【選択図】図３
2015196497.tif 000002
【特許請求の範囲】
【請求項１】
一対のサイドフレームと、前記一対のサイドフレームの間に配置されている収納フレームとを有し、前後方向で走行できるように構成されるベビーカーであって、
前記一対のサイドフレームはそれぞれ、前方支持バーと、前記前後方向において前記前方支持バーの後方に配置されている後方支持バーとを有しており、
前記収納フレームは、前記一対のサイドフレームの間に配置されているハブと、前記前方支持バー及び前記後方支持バーのうち一の支持バーに枢接されている外端部と前記ハブに枢接されている内端部とをそれぞれ具備する４本の枢支バーとを有しており、
且つ、前記４本の枢支バーが共に所定の平面に接近するように展開して前記一対のサイドフレームが互いに離間する展開位置と、前記ハブの上方への移動に従って前記展開位置から前記４本の枢支バーそれぞれの前記内端部が上方へ回動すると共に、前記一対のサイドフレームが互いに接近する収納位置と、の間に切り替えることができるように構成されていることを特徴とするベビーカー。
【請求項２】
前記ハブには、それぞれ下方側及び外側に向かって開口すると共に、前記枢支バーそれぞれに対応する収納溝が形成されている本体フレームを有しており、
前記枢支バーそれぞれの前記内端部は、対応する前記収納溝内に収納されるように前記本体フレームに枢接されていることを特徴とする請求項１に記載のベビーカー。
【請求項３】
前記ハブは、前記本体フレームを水平側から囲むように形成されるフェンスをさらに有し、
前記フェンスには、前記枢支バーの回動を可能とする開口部が形成されていることを特徴とする請求項２に記載のベビーカー。
【請求項４】
前記収納フレームは、
前記枢支バーそれぞれの前記内端部にそれぞれ摺動可能に挿し込まれていると共に、対応する前記内端部から突出することができるように配置構成された４つの係合手段と、
係合手段それぞれに対応する前記枢支バーから突出させる付勢力を与えるように配置構成される付勢手段と、
少なくとも１つの前記係合手段に対応し、該対応する係合手段の前記枢支バーの前記内端部から突出する箇所と係合して該対応する係合手段及び該対応する係合手段が挿し込まれている前記枢支バーの前記内端部の上側への回動を阻止できるように構成されたロック手段と、
前記ロック手段に対応し、該対応するロック手段が対応する前記係合手段に与えられる前記付勢手段からの前記付勢力に対抗して該対応する前記係合手段を該対応する係合手段が挿し込まれている前記枢支バーの前記内端部に押し戻すことによって該対応する前記ロック手段と該対応する前記係合手段との係合を解除することができる解除手段と
をさらに備えていることを特徴とする請求項３に記載のベビーカー。
【請求項５】
前記収納フレームは、２つの前記ロック手段を備え、
前記ロック手段それぞれは、
それぞれ上下方向に沿って延在し、互いに並列している一対の案内部を有すると共に、該一対の案内部の間に上から下へ延在して上側に開口部がある案内溝が介在するように形成され、且つ、前記一対の案内部に、２つの前記係合手段にそれぞれ対応し、且つ下から上へ延在しながら前記案内溝に面している側から対応する前記係合手段に接近する側へ偏るように延在する一対の案内長孔と、
前記一対の案内部からそれぞれ突起すると共に、対応する２つの前記係合手段とそれぞれ係合して該対応する係合手段及び該対応する係合手段が挿し込まれている前記枢支バーの前記内端部の上側への回動を阻止することができる一対の係合ブロックとを有するように構成されており、
前記解除手段は、
それぞれの一端が互いに枢接し合い、前記一端から延在する先にあるそれぞれの他端が前記一端同士の前記枢接によって揺動可能になっている一対の回動アームと、
前記一対の回動アームが互いに枢接し合う箇所から、前記一対の回動アームが揺動可能の平面と直交するように突起する第１の摺動ピンと、
前記一対の回動アームそれぞれの前記他端の近くから、前記一対の回動アームが揺動可能の平面と直交するように突起する一対の第２の摺動ピンと、を有するように構成されていると共に、
前記一対の回動アームそれぞれの前記他端が前記一対の案内長孔がそれぞれ対応する２つの前記係合手段に当接しながら、前記第１の摺動ピンが前記ロック手段の前記案内溝に嵌め込まれて前記案内溝に沿って摺動可能に、且つ、前記一対の第２の摺動ピンがそれぞれ前記一対の案内長孔に嵌め込まれ、前記第１の摺動ピンの前記案内溝に沿う摺動に連動してそれぞれ前記一対の案内長孔に沿って摺動可能になるように対応する前記ロック手段に取付けられていることを特徴とする請求項４に記載のベビーカー。
【請求項６】
前記解除手段は、前記第１の摺動ピンに接続される作動糸をさらに有し、
前記作動糸により前記第１の摺動ピンが前記案内溝に沿って下から上へ移動すると、前記一対の第２の摺動ピンがそれぞれ前記一対の案内長孔に沿って前記案内溝に面している側から対応する前記係合手段に接近する側へ移動すると共に、前記一対の第２の摺動ピンがそれぞれ形成された前記一対の回動アームそれぞれの前記他端で前記一対の案内長孔がそれぞれ対応する２つの前記係合手段を対応する前記枢支バーに押し込んで該２つの前記係合手段と前記一対の係合ブロックとの係合を解除するように構成されていることを特徴とする請求項５に記載のベビーカー。
【請求項７】
前記一対のサイドフレームは、それぞれ
前記前方支持バーの後方に回動することができるように、前記前方支持バーの上端に枢接されている上側回動バーと、
両端がそれぞれ前記前方支持バーと前記後方支持バーとに枢接されている連動バーとをさらに備えていることを特徴とする請求項１〜請求項６のいずれか一項に記載のベビーカー。
【請求項８】
互いに交差して交差する箇所において枢接し合い、且つそれぞれの両端が前記一対のサイドフレームそれぞれが有する前記後方支持バーの隣に枢支されている一対のサポータを有するサポートフレームをさらに有していることを特徴とする請求項１〜請求項７のいずれか一項に記載のベビーカー。
【請求項９】
前記枢支バーそれぞれの前記外端部は、それぞれ第１のジョイントユニットを介して前記前方支持バー又は前記後方支持バーに枢接されており、
前記第１のジョイントユニットは、前記枢支バー２２に枢接されている第１の枢接板と、前記第１の枢接板と所定の角度を成していると共に、前記前方支持バー又は前記後方支持バーに枢接されている第２の枢接板とを有するように形成されていることを特徴とする請求項１〜請求項８のいずれか一項に記載のベビーカー。
【請求項１０】
前記前方支持バーの上端に、一対の側板と、該一対の側板の間に間を空けて配置されている中間板とが平行するように突起しており、
前記上側回動バーの前記前方支持バーの上端に枢支されている端部には、下側及び前記前方支持バーに面している側に開口する枢支溝を有する枢支ブロックが形成されていて、前記上側回動バーの前記枢支ブロックが前記前方支持バーの上端にある前記中間板と前記一対の側板との間の隙間に嵌め込まれ、且つ前記中間板が前記枢支溝に嵌め込まれながら、前記上側回動バーが前記前方支持バーの上端に枢接されていることを特徴とする請求項7に記載のベビーカー。
【請求項１１】
前記上側回動バーそれぞれには、該上側回動バーから下側に向かって延在する枢接フレームが取付けられており、同一の前記サイドフレームに属する前記後方支持バーの上端部は該枢接フレームに枢接されていることを特徴とする請求項7に記載のベビーカー。
【発明の詳細な説明】
【技術分野】
【０００１】
本発明はベビーカーに関し、特に、ベビーカーに用いられる操作制限機構及び該操作制限機構を備えたベビーカーに関する。
【背景技術】
【０００２】
従来技術に基づくベビーカーとして、例えば特許文献１に記載されるものがある。
【０００３】
図１及び図２は、該従来技術に基づくベビーカーの展開状態及び収納状態を表わす。図示の如く、該ベビーカーは、それぞれ上アーム部４１と該上アーム部４１に枢支されている下アーム部４２とを有する一対の前支持アーム４０と、それぞれ該一対の前支持アーム４０の後側に配置されている一対の後支持アーム５０と、該一対の後支持アーム５０の間に配置されて該一対の後支持アーム５０を連結すると共に、該一対の後支持アーム５０の間の距離を制御する連結アーム部６０とを備えている。
【０００４】
該従来技術に基づくベビーカーを図１に表わす展開状態から図２に表わす収納状態に切り替える際に、最初に連結アーム部６０を操作して該一対の後支持アーム５０を互いに接近させてから、一対の前支持アーム４０がそれぞれ有する下アーム部４２を上アーム部４１側へ折り畳んで、切り替え操作を完成するようになっている。
【０００５】
しかし、ベビーカーの使用者としては、ベビーカーの展開／収納操作を行いながらも、幼児を世話しなければならない場合が多い。上記のように操作の手順が多く、且つ操作する箇所が離れている従来技術に基づくベビーカーは不便であり、改善の余地が未だに残されている。
【先行技術文献】
【特許文献】
【０００６】
【特許文献１】特開２０１４−１５１８１号公報
【発明の概要】
【発明が解決しようとする課題】
【０００７】
上記問題点に鑑みて、本発明はベビーカーの展開／収納操作を簡単な手順で素早く行うことができるベビーカーの提供を目的とする。
【課題を解決するための手段】
【０００８】
上記目的を達成すべく、本発明は、一対のサイドフレームと、前記一対のサイドフレームの間に配置されている収納フレームとを有し、前後方向で走行できるように構成されるベビーカーであって、前記一対のサイドフレームは、それぞれ前方支持バーと、前記前後方向において前記前方支持バーの後方に配置されている後方支持バーとを有しており、前記収納フレームは、前記一対のサイドフレームの間に配置されているハブと、それぞれいずれか１つの前記前方支持バー又は前記後方支持バーに枢接されている外端部と前記ハブに枢接されている内端部とがある４本の枢支バーとを有しており、且つ、前記４本の枢支バーが共に所定の平面に接近するように展開して前記一対のサイドフレームが互いに離間する展開位置と、前記ハブの上方への移動に従って前記展開位置から前記４本の枢支バーそれぞれの前記内端部が上方へ回動すると共に、前記一対のサイドフレームが互いに接近する収納位置と、の間に切り替えることができることを特徴とするベビーカーを提供する。
【発明の効果】
【０００９】
上記構成によれば、本発明におけるベビーカーは、収納フレームが有するハブを引き上げる操作のみで、４本の枢支バーを介して一対のサイドフレームを接近させて収納位置に切り替えることができるので、たとえ使用者が幼児を世話していても、本発明におけるベビーカーを片手で素早く操作することができる。
【図面の簡単な説明】
【００１０】
【図１】従来技術に基づく例示的なベビーカーの展開状態を示す斜視図である。
【図２】従来技術に基づく例示的なベビーカーの収納状態を示す斜視図である。
【図３】本発明におけるベビーカーの展開位置を示す斜視図である。
【図４】本発明におけるベビーカーの枢支バーそれぞれの外端部が前方支持バーに枢接している状態を示す部分的な拡大斜視図である。
【図５】本発明におけるベビーカーの枢支バーそれぞれの外端部が後方支持バーに枢接している状態を示す部分的な拡大斜視図である。
【図６】本発明におけるベビーカーの上側回動バーが前方支持バーの上端に枢接している状態を示す部分的な拡大斜視図である。
【図７】本発明におけるベビーカーの収納位置に切り替えられる途中の状態を示す斜視図である。
【図８】サポータの端部が第２のジョイントユニットを介して後方支持バーに取付けられている状態を示す斜視図である。
【図９】サポータの端部が第２のジョイントユニットを介して後方支持バーに取付けられている状態を示す斜視図である。
【図１０】本発明におけるベビーカーの収納位置を示す斜視図である。
【図１１】本発明におけるベビーカーのハブ及び当該ハブに枢接されている４つの枢支バーから成る構成を示す斜視図である。
【図１２】本発明におけるベビーカーのハブの周辺構成を示す分解斜視図である。
【図１３】本発明におけるベビーカーのロック手段と係合手段と付勢手段と解除手段との展開位置においての係合関係を示す断面図である。
【図１４】本発明におけるベビーカーのロック手段及び解除手段の展開位置における状態を示す断面図である。
【図１５】本発明におけるベビーカーのロック手段と係合手段と付勢手段と解除手段とが展開位置に位置している場合において、解除手段の作動によってロック手段と係合手段との係合関係が解除された状態を示す断面図である。
【図１６】本発明におけるベビーカーのロック手段及び解除手段の解除手段に対する操作に応じた位置変化を示す断面図である。
【発明を実施するための形態】
【００１１】
本発明におけるベビーカーの好ましい実施形態について、図面を参照しつつ、以下に詳述する。
【００１２】
図３は、本発明におけるベビーカーの車体フレームの展開位置を示す斜視図である。図示の如く、当該実施形態におけるベビーカー１００は、一対のサイドフレーム１と、一対のサイドフレーム１の間に配置されている収納フレーム２とを有しており、前後方向において走行するように構成されている。
【００１３】
サイドフレーム１それぞれが、前方支持バー１１と、前方支持バー１１の後方に回動することができるように前方支持バー１１の上端に枢接されている上側回動バー１３と、ベビーカー１００の走行方向である前後方向において前方支持バー１１の後方に配置されている後方支持バー１２と、端部それぞれが前方支持バー１１と後方支持バー１２とに枢接されている連動バー１４とを備えている。また、前方支持バー１１の下端に前輪１５が取付けられ、後方支持バー１２の下端に後輪１６が取付けられている。
【００１４】
収納フレーム２は、一対のサイドフレーム１の間に配置されているハブ２１と、２つの前方支持バー１１及び２つの後方支持バー１２のうち一の支持バーに枢接されている外端部とハブ２１に枢接されている内端部とをそれぞれ具備する４本の枢支バー２２とを有している。また、幼児を乗せるための座席はハブ２１の上面に配置されているが、図中では収納フレーム２の構成を示すため座席の表示は省略されている。
【００１５】
また、図４及び図５はそれぞれ、枢支バー２２それぞれの外端部が前方支持バー１１又は後方支持バー１２に枢接されている状態を表わす部分的な拡大斜視図である。図４及び図５に表わすように、枢支バー２２それぞれの外端部は、第１のジョイントユニット２２１を介して前方支持バー１１又は後方支持バー１２に枢接されている。第１のジョイントユニット２２１は、第１の枢支ピンＰ１によって枢支バー２２に枢接されている第１の枢接板２２１Ａと、第１の枢接板２２１Ａと所定の角度を成す共に、第２の枢支ピンＰ２によって前方支持バー１１又は後方支持バー１２に枢接されている第２の枢接板２２１Ｂとを備えている。
【００１６】
また、図３に表わすように、連動バー１４は、第３の枢支ピンＰ３によって前方支持バー１１に枢接されていると共に、後方支持バー１２に枢接されている第１のジョイントユニット２２１の第２の枢接板２２１Ｂと同軸に且つ第２の枢接板２２１Ｂに設けられた第２の枢支ピンＰ２によって後方支持バー１２に枢接されている。
【００１７】
また、図６は、上側回動バー１３が前方支持バー１１の上端に枢接されている状態を表わす部分的な拡大斜視図である。図示の如く、前方支持バー１１の上端において、一対の側板１１３と、一対の側板１１３の間に且つ側板１１３それぞれから離隔して配置されている中間板１１４とが、互いに対して平行に突出しており、下側に及び前方支持バー１１に対面する側に開口している枢支溝１３５を上側回動バー１３の枢支端に具備する枢支ブロック１３１が形成されている。上側回動バー１３の枢支ブロック１３１が前方支持バー１１の上端にある中間板１１４と一対の側板１１３との間の間隙に挟み込まれており、且つ中間板１１４が枢支溝１３５に嵌め込まれた状態において、中間板１１４と一対の側板１１３と枢支ブロック１３１とに同時に挿通されている第４の枢支ピンＰ４によって、上側回動バー１３が前方支持バー１１の上端に枢接されている。この構成によって、上側回動バー１３が前方支持バー１１の後方に回動可能となると共に、枢支ブロック１３１の枢支溝１３５の上側に位置する当接板１３３が中間板１１４と当接するので、上側回動バー１３が回動する上死点が形成される。
【００１８】
さらに、図３に表わすように、上側回動バー１３には、上側回動バー１３から下側に向かって延在する枢接フレーム１３６が取付けられており、同一のサイドフレーム１に設けられた後方支持バー１２の上端部は、第５の枢支ピンＰ５によって枢接フレーム１３６に枢接されている。
【００１９】
図７は、本発明におけるベビーカーの収納位置に切り替える途中の状態を表わす斜視図である。図３及び図７に表わすように、一対のサイドフレーム１がそれぞれ有する一対の後方支持バー１２の間には、サポートフレーム３が介在している。サポートフレーム３は、互いに交差している交差箇所において第６の枢支ピンＰ６によって枢接しており、且つ、サポートフレーム３それぞれの両端が一対のサイドフレーム１それぞれの後方支持バー１２の隣接部に枢支されている一対のサポータ３３と、サポータ３３それぞれの両端と一対のサイドフレーム１それぞれの後方支持バー１２との間に取付けられている４つの第２のジョイントユニット３２とを有している。
【００２０】
図８及び図９はそれぞれ、サポータ３３の端部が第２のジョイントユニット３２を介して後方支持バー１２に取付けられている状態を表わす斜視図である。図８及び図９に表わすように、４つの第２のジョイントユニット３２はそれぞれ、後方支持バー１２が挿通されているスリーブ部３２１と、スリーブ部３２１から他方の後方支持バー１２側に向かって突出している突出部３２２とを有しており、一対のサポータ３３の両端はそれぞれ、第７の枢支ピンＰ７によって、対応する後方支持バー１２に取付けられている第２のジョイントユニット３２の突出部３２２に枢接されている。
【００２１】
図１０は、本発明におけるベビーカーの収納位置を表わす斜視図である。上記構成により、本発明におけるベビーカー１００は収納フレーム２が有するハブ２１を引き上げる操作又は押し下げる操作のみで、図３に表わす４本の枢支バー２２が共に所定の平面に接近するように展開して一対のサイドフレーム１が互いに離間する展開位置と、ハブ２２の上方への移動に従って図３に表わす展開位置から４本の枢支バー２２それぞれの前記内端部が上方へ回動すると共に、一対のサイドフレーム１が互いに接近する収納位置と、の間に切り替えることができるので、たとえ使用者が幼児を世話していても、本発明におけるベビーカー１００を片手で素早く操作することができる。
【００２２】
続いて、本発明におけるベビーカー１００における収納フレーム２の構成ついて、図１１〜図１６を用いて詳述する。
【００２３】
図１１は、ハブ２１とハブ２１に枢接されている４つの枢支バー２２とから成る構成を表わす斜視図である。
【００２４】
図示の如く、ハブ２１は、それぞれ下方側及び外側に向かって開口すると共に、枢支バー２２それぞれに対応する収納溝２１２が形成されている本体フレーム２１４と、本体フレーム２１４を水平側から囲むように形成されるフェンス２１５とを有しており、枢支バー２２それぞれの内端部は、対応する収納溝２１２内に収納されるように本体フレーム２１４に枢接されている。
【００２５】
また、フェンス２１５には、枢支バー２２それぞれの回動を可能とする開口部２１３が形成されている。
【００２６】
図１２は、ハブ２１の周辺構成を表わす分解斜視図である。
【００２７】
収納フレーム２は、上述のハブ２１及び枢支バー２２それぞれの他に、枢支バー２２それぞれの前記内端部にそれぞれ摺動可能に挿し込まれていると共に、対応する内端部から突出することができるように配置構成された４つの係合手段２５と、係合手段２５それぞれに対応する枢支バー２２から突出させる付勢力を与えるように配置構成される付勢手段２６と、それぞれ２つの枢支バー２２それぞれに配置されている係合手段２５に対応し、該対応する係合手段２５の枢支バー２２の内端部から突出する箇所と係合して該対応する係合手段２５及び該対応する係合手段２５が挿し込まれている枢支バー２２の前記内端部の上側への回動を阻止できるように構成された２つのロック手段２４と、ロック手段２４それぞれに対応し、該対応するロック手段２４が対応する係合手段２５に与えられる付勢手段２６からの前記付勢力に対抗して該対応する係合手段２５を該対応する係合手段２５が挿し込まれている枢支バー２２の前記内端部に押し戻すことによって、該対応するロック手段２４と該対応する係合手段２５との係合を解除することができる解除手段２７と、をさらに備えている。
【００２８】
さらに詳述すると、枢支バー２２それぞれは、それぞれ中空の管状に形成されており、枢支ピン２９によって本体フレーム２１４に枢接されている。また、枢支バー２２それぞれの本体フレーム２１４に枢接されている端部は、内端部として１つの係合手段２５によって摺動可能に挿し込まれている。
【００２９】
係合手段２５は、枢支バー２２の長さ方向に沿って延在する略長方体に形成されて枢支バー２２の内端部に挿し込まれていると共に、枢支バー２２と係合手段２５との間に取付けられている圧縮コイルバネとしての付勢手段２６から与えられる付勢力により先端が係合端２５１として枢支バー２２の内端部から突出することができる。また、係合手段２５には圧縮コイルバネとしての付勢手段２６の伸縮に応じて、枢支ピン２９が相対的に通過できるガイド溝２５２と、ガイド溝２５２内に突出して枢支ピン２９がガイド溝２５２内に摺動できる限界位置を制限する制限フック２５３とが形成されている。
【００３０】
図１２〜図１４に表わすように、ロック手段２４それぞれは、それぞれ上下方向に沿って延在し、互いに並列している一対の案内部２４２を有すると共に、該一対の案内部２４２の間に上から下へ延在して上側に開口部がある案内溝２４３が介在するように形成されている。また、該一対の案内部２４２は、２つの係合手段２５にそれぞれ対応し、且つ下から上へ延在しながら案内溝２４３に面している側（内側）から対応する係合手段２５に接近する側（外側）へ偏るように延在する一対の案内長孔２４４と、該一対の案内部２４２からそれぞれ突起すると共に、対応する２つの係合手段２５とそれぞれ係合して該対応する係合手段２５及び該対応する係合手段２５が挿し込まれている枢支バー２２の前記内端部の上側への回動を阻止することができる一対の係合ブロック２４１とを有するように構成されている。
【００３１】
解除手段２７は、それぞれの一端が互いに枢接し合い、前記一端から延在する先にあるそれぞれの他端が前記一端同士の前記枢接によって回動可能になっている一対の回動アーム２７１と、一対の回動アーム２７１それぞれの先端に形成されている押圧ブロック２７６と、一対の回動アーム２７１が互いに枢接し合う箇所から、該一対の回動アーム２７１が揺動可能の平面と直交するように突起する第１の摺動ピン２７２と、該一対の回動アーム２７１それぞれの前記他端の近傍から、該一対の回動アーム２７１が揺動可能の平面と直交するように突起する一対の第２の摺動ピン２７３と、一対の回動アーム２７１にそれぞれ形成されていると共に、一対の第２の摺動ピン２７３が収容されている収容スリーブ２７４と、第１の摺動ピン２７２に接続される作動糸２８とを有するように構成されている上、該一対の回動アーム２７１それぞれの前記他端が、一対の案内長孔２４４がそれぞれ対応する２つの係合手段２５の係合端２５１に当接しながら、第１の摺動ピン２７２がロック手段２４の案内溝２４３に嵌め込まれて案内溝２４３に沿って摺動可能に、且つ、一対の第２の摺動ピン２７３がそれぞれ一対の案内長孔２４４に嵌め込まれ、第１の摺動ピン２７２の案内溝２４３に沿う摺動に連動してそれぞれ一対の案内長孔２４４に沿って摺動可能になるように対応するロック手段２４に取付けられている。
【００３２】
この構成により、ベビーカー全体が図３に表わす展開位置で４本の枢支バー２２が共に所定の平面（水平面）に接近するように展開し、且つ作動糸２８が図１４に表わすように作動されていない場合、枢支バー２２それぞれの前記内端部に挿し込まれている係合手段２５は、図１３に表わすように付勢手段２６から与えられる付勢力により、枢支ピン２９が制限フック２５３に当接するまで先端が係合端２５１として枢支バー２２の内端部から突出して、枢支バー２２の枢支ピン２９より内側の部分は枢支ピン２９を回転軸として上側へ回動することができないように、対応するロック手段２４が有する１つの係合ブロック２４１と係合して安定な状態になっている。
【００３３】
また、ベビーカー全体が図３に表わす展開位置を維持しつつ、図１６に表わすように作動糸２８によって解除手段２７の有する第１の摺動ピン２７３を引き上げると、一対の回動アーム２７１に取付けられている第２の摺動ピン２７３がそれぞれ一対の案内長孔２４４の案内に従って案内長孔２４４に沿って外側へ連動すると共に、一対の回動アーム２７１の先端に形成されている押圧ブロック２７６がそれぞれ対応する係合手段２５の枢支バー２２から露出する係合端２５１を枢支バー２２の管内に押し込んで、図１５に表わすように係合端２５１と係合ブロック２４１との係合を解除すると、枢支バー２２の枢支ピン２９より内側の部分は枢支ピン２９を回転軸として上側へ回動することができるようになると共に、作動糸２８の引き続きの第１の摺動ピン２７３に対する引き上げ操作によって解除手段２７それぞれとロック手段２４それぞれとハブ２１と枢支ピン２９それぞれとが同時に引き上げられるので、ベビーカー全体を図３に表わす展開位置から図７に表わす状態を経て図１０に表わす収納位置に切り替えることができる。
【産業上の利用可能性】
【００３４】
上記構成によれば、本発明におけるベビーカーは、収納フレームが有するハブを引き上げる操作のみによって、４本の枢支バーを介して一対のサイドフレームを接近させて収納位置に切り替えることができる。これにより、たとえ使用者が幼児を世話していても、本発明におけるベビーカーを片手で素早く操作することができるので、本発明は、使用の利便性が向上されるベビーカーを提供することができる。
【符号の説明】
【００３５】
１  サイドフレーム
１００  ベビーカー
１１  前方支持バー
１１３  側板
１１４  中間板
１２  後方支持バー
１３  上側回動バー
１３１  枢支ブロック
１３３  当接板
１３５  枢支溝
１３６  枢接フレーム
１４  連動バー
１５  前輪
１６  後輪
２  収納フレーム
２１  ハブ
２１２  収納溝
２１３  開口部
２１４  本体フレーム
２１５  フェンス
２２  枢支バー
２２１  第１のジョイントユニット
２２１Ａ  第１の枢接板
２２１Ｂ  第２の枢接板
２４  ロック手段
２４１  係合ブロック
２４２  案内部
２４３  案内溝
２４４  案内長孔
２５  係合手段
２５１  係合端
２５２  ガイド溝
２５３  制限フック
２６  付勢手段
２７  解除手段
２７１  回動アーム
２７２  第１の摺動ピン
２７３  第２の摺動ピン
２７４  収容スリーブ
２７６  押圧ブロック
２８  作動糸
２９  枢支ピン
３２  第２のジョイントユニット
３２１  スリーブ部
３２２  突出部
３３  サポータ
Ｐ１  第１の枢支ピン
Ｐ２  第２の枢支ピン
Ｐ３  第３の枢支ピン
Ｐ４  第４の枢支ピン
Ｐ５  第５の枢支ピン
Ｐ６  第６の枢支ピン
Ｐ７  第７の枢支ピン
【図１】
2015196497.tif 000003
【図２】
2015196497.tif 000004
【図３】
2015196497.tif 000005
【図４】
2015196497.tif 000006
【図５】
2015196497.tif 000007
【図６】
2015196497.tif 000008
【図７】
2015196497.tif 000009
【図８】
2015196497.tif 000010
【図９】
2015196497.tif 000011
【図１０】
2015196497.tif 000012
【図１１】
2015196497.tif 000013
【図１２】
2015196497.tif 000014
【図１３】
2015196497.tif 000015
【図１４】
2015196497.tif 000016
【図１５】
2015196497.tif 000017
【図１６】
2015196497.tif 000018